(57)【要約】【課題】テーブル面上に表示された画像がテーブルを挟んで対面した観察者に対して、それぞれ正像として視認されるようにする。【解決手段】ライトバルブの画像を投射光学系によりスクリーンに拡大投影する画像表示装置において、Ｓ偏光、Ｐ偏光の画像を時分割表示し、観察者はＳ，Ｐ各偏光眼鏡を介して画像を観察する。【選択図】        図１
2005010695.tif 000002
【特許請求の範囲】
【請求項１】
複数方向からの正像を、表示画面に時分割表示することにより視認的同時に一表示領域内で表示する事を特徴とする画像表示装置。
【請求項２】
複数の画像を、表示画面に時分割表示することにより視認的同時に一表示領域内で表示する事を特徴とする画像表示装置。
【請求項３】
ライトバルブの画像を投射光学系により透過型スクリーンの裏面側より拡大投影する表示装置であって、Ｓ偏光、Ｐ偏光の画像を時分割表示することを特徴とする請求項１または２に記載の画像表示装置。
【請求項４】
Ｓ偏光眼鏡、Ｐ偏光眼鏡を介して、時分割表示された各表示画像を観察することを特徴とする請求項３に記載の画像表示装置。
【請求項５】
観察者と画像表示装置との間に配置されたＳ偏光板、Ｐ偏光板の各プレートを介して表示画像を観察することを特徴とする請求項３に記載の画像表示装置。
【請求項６】
時分割表示に同期した液晶シャッタ付き眼鏡を介して、該表示画像を観察することを特徴とする請求項１または２に記載の画像表示装置。
【請求項７】
パソコンを内蔵、或いはパソコンのインターフェイスを備えたことを特徴とする請求項１または２に記載の画像表示装置。
【発明の詳細な説明】
【０００１】
【発明の属する技術分野】
本発明は画像表示装置、特に複数の観察者によって同時に使用される画像表示装置の画像表示に関するものである。
【０００２】
【従来の技術】
図１０に従来の画像表示装置の一例を示す。
【０００３】
図において、１００はテーブル形状をした画像表示装置で、表示画像１０１を挟んで二人の観察者１０２、１０３が対面してひとつの表示画像を観察している。
【０００４】
そのような技術を特許文献１などが開示している。
【０００５】
【特許文献１】
特開２０００−２３５３５２号公報
【０００６】
【発明が解決しようとする課題】
然しながら、図１０からも分かる様に、表示画像１０１は観察者１０３には正像として視認されるが、一方、観察者１０２には表示画像１０１は天地左右が逆転した像として視認されることになり、複数名でひとつの表示画像を観察する場合は、甚だ不便であった。
【０００７】
本発明はかかる問題を解決するものである。
【０００８】
【課題を解決するための手段】
本発明によれば、ライトバルブの画像を投射光学系によりスクリーンに拡大投影する画像表示装置において、Ｓ偏光、Ｐ偏光の画像を時分割表示し、Ｓ偏光眼鏡、Ｐ偏光眼鏡を介して該時分割表示された投影画像を観察することにより、複数の観察者が視認的同時に各像を観察することが可能となる。
【０００９】
【発明の実施の形態】
（実施例１）
図１に本発明の実施例１における画像表示装置の概要を示す。画像表示装置の筐体１の上面に配置されたスクリーン２を挟んで二人の観察者Ｆ、Ｈが対面している。
【００１０】
３は後述するＳ偏光眼鏡、４はＰ偏光眼鏡で５はＳ波画像、６はＰ波画像である。
【００１１】
図２は図１に示す画像表示装置の断面図で７はスクリーン２の裏面より画像を投影する光学エンジンで図３にその詳細を示す。
【００１２】
図３においてランプハウジング８に収納されたランプ９から発せられた光はフライアイレンズ１０により照明範囲内の光量を均一にされた後ＰＳ変換素子１１によりその偏光方向を一方向に揃えられコンデンサーレンズ１２を介して色分解用の第一のダイクロミラー１３に射出される。
【００１３】
Ｂ成分を反射、Ｒ，Ｇ成分を透過するように構成された前記第一のダイクロミラー１３によって反射されたＢ成分の光は反射ミラー１４を介しＢ用透過型液晶パネル１５に照射される。
【００１４】
一方、前記第一のダイクロミラー１３によって透過されたＧ，Ｒ成分の光は第二のダイクロミラー１６によって分離され、Ｇ成分の光はＧ用透過型液晶パネル１７に照射される。
【００１５】
同様にＲ成分の光はミラー１８、１９を介してＲ用透過型液晶パネル２０に照射される。
【００１６】
ここで２１はＢ，Ｇ用各透過型液晶パネル１５，１７までの光路長とＲ用透過型液晶パネル２０までの光路長の差による光量の減衰を補正するためのコンデンサーレンズである。
【００１７】
Ｒ，Ｇ，Ｂ用各透過型液晶パネルに照射された光は各パネルを通過後Ｒ，Ｇ，Ｂ各画像を形成し、更にＲ，Ｇ，Ｂ用各１／４λ板２２，２３，２４によって、その偏光方向を４５°に揃えられた後、直角プリズム２５によって合成され、投射レンズ２６によってスクリーン２に投影される。
【００１８】
ここで２７、２８は前記直角プリズム２５と投射レンズ２６間に配置されたＳ偏光シャッタ、Ｐ偏光シャッタであり、後述するタイミングで直角プリズム２５から出力される画像光をＳ偏光、Ｐ偏光に分けて投射レンズ２６に出力する。
【００１９】
図４は前記Ｓ偏光シャッタ２７、Ｐ偏光シャッタ２８のＯＮ−ＯＦＦタイミングを示すタイミングチャートで、横軸に時間ｔ、縦軸にＯＮ−ＯＦＦのタイミングを表す。
【００２０】
上記タイミングで図１に示すＳ波画像５及びＰ波画像６を時分割表示することにより、観察者ＦはＳ波偏光眼鏡３を介してＳ波画像５を正像として視認することができる。
【００２１】
同様に観察者ＨもＰ波偏光眼鏡４を介してＰ波画像６を正像として視認することが可能となる。
【００２２】
（実施例２）
図５は実施例１におけるＳ波偏光眼鏡３、Ｐ波偏光眼鏡４の代わりにＳ波偏光プレート２９、Ｐ波偏光プレート３０を画像表示装置１上のスクリーン２と各観察者Ｆ、Ｈの間に配置した例で、図１におけるＳ，Ｐ波各偏光眼鏡３，４を装着することなくＳ波画像、Ｐ波画像を視認することができる。
【００２３】
（実施例３）
図６に本発明の実施例３における画像表示装置の概要を示す。画像表示装置の筐体３１の上面に配置されたスクリーン３２を挟んで二人の観察者Ｊ、Ｋが対面している。
【００２４】
３３は観察者Ｊ用の画像３５を観察する為の液晶シャッタ眼鏡、３４は観察者Ｋ用の画像３６を観察する為の液晶シャッタ眼鏡である。
【００２５】
図７にスクリーン３２の裏面より画像を投影する光学エンジンの詳細を示す。
【００２６】
図７においてランプハウジング３７に収納されたランプ３８から発せられた光はフライアイレンズ３９により照明範囲内の光量を均一にされた後ＰＳ変換素子４０によりその偏光方向を一方向に揃えられコンデンサーレンズ４１を介して色分解用の第一のダイクロミラー４２に射出される。
【００２７】
Ｂ成分を反射、Ｒ，Ｇ成分を透過するように構成された前記第一のダイクロミラー４２によって反射されたＢ成分の光は反射ミラー４３を介しＢ用透過型液晶パネル４４に照射される。
【００２８】
一方、前記第一のダイクロミラー４２によって透過されたＧ，Ｒ成分の光は第二のダイクロミラー４５によって分離され、Ｇ成分の光はＧ用透過型液晶パネル４６に照射される。
【００２９】
同様にＲ成分の光はミラー４７、４８を介してＲ用透過型液晶パネル４９に照射される。
【００３０】
ここで５０はＢ，Ｇ用各透過型液晶パネル４４，４６までの光路長とＲ用透過型液晶パネル４９までの光路長の差による光量の減衰を補正するためのコンデンサーレンズである。
【００３１】
Ｒ，Ｇ，Ｂ用各透過型液晶パネル４４，４６，４９に照射された光は各パネルを通過後Ｒ，Ｇ，Ｂ各画像を形成し、直角プリズム５１によって合成され、投射レンズ５２によってスクリーン３２に投影される。
【００３２】
図８は図６における観察者Ｊ用の画像３５、観察者Ｋ用の画像３６、観察者Ｊ用の液晶シャッタ眼鏡３３及び観察者Ｋ用の液晶シャッタ眼鏡３４各々のＯＮ−ＯＦＦタイミングを示すタイミングチャートで、横軸に時間ｔ、縦軸にＯＮ−ＯＦＦのタイミングを表す。
【００３３】
図から分かる様に、画像３５と３６を交互にＯＮ−ＯＦＦし時分割表示すると共に、画像３５、３６に同期して液晶シャッタ眼鏡３３、３４をＯＮ−ＯＦＦすることにより、観察者Ｊは画像３５を、観察者Ｋは画像３６をそれぞれ視認することが可能となる。
【００３４】
（実施例４）
図９は本発明による複数の画像表示装置５３、５４にパソコン接続用のインターフェイス５５，５６を装備し、パソコン５７，５８によりインターネット５９に接続した様子を表す図で、遠隔地の複数の画像表示機間でのコラボレーション作業が可能となる。
【００３５】
また対戦ゲーム等、画像表示機による遠隔地間の操作も可能となる。
【００３６】
【発明の効果】
本発明の実施例１によれば、ライトバルブの画像を投射光学系によりスクリーンに拡大投影する画像表示装置において、Ｓ偏光、Ｐ偏光の各画像を時分割表示し、Ｓ偏光眼鏡、Ｐ偏光眼鏡を介して該時分割表示された投影画像を観察することにより、複数の観察者が視認的同時に各画像を観察することが可能となる。
【００３７】
また、本発明の実施例２によれば、Ｓ波偏光プレート、Ｐ波偏光プレートを画像表示装置上のスクリーンと各観察者の間に配置することによりＳ，Ｐ波各偏光眼鏡を装着することなくＳ波画像、Ｐ波画像を視認することができる。
【００３８】
また、本発明の実施例３によれば、二つの画像を交互にＯＮ−ＯＦＦし時分割表示すると共に、各画像に同期して液晶シャッタ眼鏡をＯＮ−ＯＦＦすることにより、複数の観察者は液晶シャッタ眼鏡を介して各画像をそれぞれ視認的同時に観察することが可能となる。
【００３９】
更に、本発明の実施例４によれば、本発明による複数の画像表示装置にパソコン接続用のインターフェイスを装備し、パソコンによりインターネットに接続することにより、遠隔地の複数の画像表示機間でのコラボレーション作業が可能となり、また対戦ゲーム等、画像表示機による遠隔地間の操作も可能となる。
【図面の簡単な説明】
【図１】実施例１における画像表示装置の概要を示す図。
【図２】図１に示す画像表示装置の断面図。
【図３】光学エンジンの詳細を示す図。
【図４】Ｓ偏光シャッタ、Ｐ偏光シャッタのＯＮ−ＯＦＦタイミングを示すタイミングチャート。
【図５】実施例２の画像表示装置の概要を示す図。
【図６】実施例３における画像表示装置の概要を示す図。
【図７】実施例３における光学エンジンの詳細を示す図。
【図８】実施例３における画像表示装置の画像及び液晶シャッタ眼鏡、各々のＯＮ−ＯＦＦタイミングを示すタイミングチャート。
【図９】本発明による複数の画像表示装置をパソコンによりインターネットに接続した様子を表す図。
【図１０】従来装置例の概要を示す図。
【符号の説明】
１  画像表示装置の筐体
２  スクリーン
３  Ｓ偏光眼鏡
４  Ｐ偏光眼鏡
５  Ｓ波画像
６  Ｐ波画像
７  光学エンジン
３３、３４  液晶シャッタ眼鏡
５５，５６  パソコン接続用のインターフェイス
【図１】
2005010695.tif 000003
【図２】
2005010695.tif 000004
【図３】
2005010695.tif 000005
【図４】
2005010695.tif 000006
【図５】
2005010695.tif 000007
【図６】
2005010695.tif 000008
【図７】
2005010695.tif 000009
【図８】
2005010695.tif 000010
【図９】
2005010695.tif 000011
【図１０】
2005010695.tif 000012